(57)【要約】【課題】画像処理装置の稼働率の低下を抑制しつつ、ユーザーが意図しない原稿に基づいて読取ジョブを実行してしまうことによるセキュリティーの低下や操作性の悪化を改善することができるジョブ実行システム、画像処理装置、画像処理装置の制御方法及び画像処理装置が実行するプログラムを提供する。【解決手段】実行制限部は、登録ジョブが読取ジョブであると判別したとき、少なくともその登録ジョブについての認証が完了するまでジョブの実行を制限する。そして、実行制限部は、読取ジョブが認証されたとき、操作順判別部により認証操作が原稿載置操作の後に行われたと判別されると、ジョブ実行制限状態を維持する。一方、操作順判別部により認証操作が原稿載置操作の前に行われたと判別されると、ジョブの実行を許可する。【選択図】図１５
2015177214.tif 000002
【特許請求の範囲】
【請求項１】
携帯端末と画像処理装置とを備えるジョブ実行システムにおいて、
前記携帯端末は、
前記画像処理装置にジョブを登録する登録部を備え、
前記画像処理装置は、
原稿の画像を読み取る読取動作を行う読取部と、
前記登録部から登録された前記ジョブが、前記読取部による前記読取動作を含むジョブであるか否かを判断し、前記読取動作を含むジョブである場合に当該ジョブの実行を制限する制御部と、
を備えることを特徴とするジョブ実行システム。
【請求項２】
前記画像処理装置は、
認証操作が行われたことに対応して、前記読取動作を含むジョブについての認証を行う認証部を更に備え、
前記制御部は、
前記登録部から登録された前記ジョブが前記読取動作を含むジョブである場合、当該読取動作を含むジョブについて、少なくとも前記認証部による認証が完了するまでジョブの実行を制限することを特徴とする請求項１に記載のジョブ実行システム。
【請求項３】
前記制御部は、
前記認証操作と、前記読取部に対し原稿を載置する原稿載置操作との順番を判断し、
前記原稿載置操作の前に前記認証操作が行われた場合、実行が制限されていた前記読取動作を含むジョブの実行を許可し、
前記原稿載置操作の後に前記認証操作が行われた場合、実行が制限されていた前記読取動作を含むジョブの実行の制限を維持することを特徴とする請求項２に記載のジョブ実行システム。
【請求項４】
前記画像処理装置は、
前記原稿載置操作の後に前記認証操作が行われた場合、警告を行う警告部を更に備えることを特徴とする請求項３に記載のジョブ実行システム。
【請求項５】
前記制御部は、前記携帯端末又は前記画像処理装置において、実行の制限が維持された前記読取動作を含むジョブについての実行指示をユーザーから受け付けたことに応じて、当該読取動作を含むジョブの実行を許可することを特徴とする請求項３又は４に記載のジョブ実行システム。
【請求項６】
前記携帯端末は、
登録する前記ジョブの設定を受け付けるジョブ設定受付部を更に備え、
前記登録部は、前記ジョブを登録するとき、前記ジョブ設定受付部が受け付けた前記ジョブの設定を、前記画像処理装置に送信し、
前記画像処理装置は、前記ジョブの設定に基づいてジョブを実行することを特徴とする請求項２〜５のいずれか一項に記載のジョブ実行システム。
【請求項７】
前記認証操作は、少なくとも、前記携帯端末を用いた認証操作、パスワード認証操作、生体認証操作のいずれか１つであることを特徴とする請求項２〜６のいずれか一項に記載のジョブ実行システム。
【請求項８】
画像処理装置にジョブを登録できる携帯端末と通信接続が可能な前記画像処理装置であって、
原稿の画像を読み取る読取動作を行う読取部と、
通信接続されている前記携帯端末から登録された前記ジョブが、前記読取部による前記読取動作を含むジョブであるか否かを判断し、前記読取動作を含むジョブである場合に当該ジョブの実行を制限する制御部と、
を備えることを特徴とする画像処理装置。
【請求項９】
画像処理装置にジョブを登録できる携帯端末と通信接続が可能な前記画像処理装置の制御方法であって、
原稿の画像を読み取る読取動作を行うステップと、
通信接続されている前記携帯端末から登録された前記ジョブが、前記読取動作を含むジョブであるか否かを判断し、前記読取動作を含むジョブである場合に当該ジョブの実行を制限するステップと、
を含む画像処理装置の制御方法。
【請求項１０】
画像処理装置にジョブを登録できる携帯端末と通信接続が可能な前記画像処理装置に、
原稿の画像を読み取る読取動作を行うステップと、
通信接続されている前記携帯端末から登録された前記ジョブが、前記読取動作を含むジョブであるか否かを判断し、前記読取動作を含むジョブである場合に当該ジョブの実行を制限するステップと、
を実行させるためのプログラム。
【発明の詳細な説明】
【技術分野】
【０００１】
本発明は、ジョブを登録する携帯端末とジョブを実行する画像処理装置とを備えるジョブ実行システム、画像処理装置、画像処理装置の制御方法及び画像処理装置が実行するプログラムに関する。
【背景技術】
【０００２】
スマートフォンやタブレット端末をはじめとする携帯端末を利用して、複合機等の画像処理装置に実行させるジョブの設定を可能としたシステムが存在する。携帯端末を利用してスキャンジョブの設定を行う場合、複合機から離れた位置でジョブの設定が行われることがあるため、複合機本体の操作パネルを利用してジョブの設定を行う場合と比較して、ジョブの設定操作と、原稿を自動原稿搬送装置の原稿トレイに載置する操作との一連性が低下する傾向があり、また、自らが原稿トレイに載置した原稿をジョブの実行前に他のユーザーに入れ替えられてしまう恐れが高くなる。
【０００３】
そのため、原稿トレイに他のユーザーの原稿が載置されていることに気付かず、その原稿に基づいてスキャンジョブを実行してしまったり、原稿トレイに原稿を載置した後、ジョブの設定をしている間に入れ替えられた他のユーザーの原稿に基づいてスキャンジョブを実行してしまったりすることがあった。
【０００４】
このように、携帯端末を利用して、複合機に実行させるジョブの設定を可能としたシステムにおいては、ユーザーが意図しない原稿に基づいてスキャンジョブを実行してしまうことがあり、これにより、セキュリティーが低下し、また、操作性が悪化するという課題があった。
【０００５】
このような課題に対し、特許文献１には、ネットワークを介して携帯端末と接続可能な画像形成装置であって、接続中の携帯端末の位置を示す位置情報と、画像形成装置の位置を示す位置情報とに基づいて、携帯端末が画像形成装置に対して所定の範囲の中にあるか否かを判定する判定手段と、所定の範囲の中にあると判定した場合に、携帯端末から画像形成装置のローカル操作を行うことを許可する手段とを備えた画像形成装置が開示されている。
【先行技術文献】
【特許文献】
【０００６】
【特許文献１】特開２０１３−１８３２１５号公報
【発明の概要】
【発明が解決しようとする課題】
【０００７】
特許文献１に開示された画像形成装置によると、携帯端末が画像形成装置から所定の範囲の中にあるときに、スキャンジョブに関するジョブの設定が可能となるため、ジョブの設定操作と原稿載置操作との一連性を高められ、また、他のユーザーにより原稿が入れ替えられる恐れも低められるため、ユーザーが意図しない原稿に基づいてスキャンジョブを実行してしまうことによるセキュリティーの低下や操作性の悪化をある程度改善することができる。
【０００８】
しかし、特許文献１に開示された画像形成装置では、所定の範囲内にある携帯端末とスキャンジョブに関する認証を行い、認証された携帯端末を利用してスキャンジョブに関するジョブの設定操作が可能となる。一方、認証された携帯端末を利用してユーザーがジョブの設定操作を行っている間、画像形成装置は、他の携帯端末からのジョブ設定を受け付けない。そのため、例えば、画像形成装置の操作に不慣れなユーザーがジョブの設定操作を行うような場合には、特定のユーザーにより画像形成装置が長時間占有されてしまうこととなり、画像形成装置の稼働率が低下してしまうという課題があった。
【０００９】
また、上述の通り、特許文献１に開示された画像形成装置では、画像形成装置から所定の範囲の中でジョブの設定操作を行わせることで、ユーザーが意図しない原稿に基づいてスキャンジョブを実行してしまう恐れをある程度低下させることはできるものの、もともと原稿トレイに載置されていた他のユーザーの原稿に基づいてスキャンジョブを実行してしまったり、ジョブの設定をしている間に入れ替えられた他のユーザーの原稿に基づいてスキャンジョブを実行してしまったりする恐れは残されており、セキュリティーの低下や操作性の悪化に関する改善の余地があった。また、上記問題はスキャンジョブに限らず、他にもコピージョブなど、原稿トレイに載置した原稿を読み取る動作を含むジョブ（以下、読取ジョブ）に起こりうる問題でもあった。
【００１０】
本発明は、上記課題を解決するためのものであり、画像処理装置の稼働率の低下を抑制しつつ、ユーザーが意図しない原稿に基づいて読取ジョブを実行してしまうことによるセキュリティーの低下を抑制することができ、さらに操作性の悪化を改善することができるジョブ実行システム、画像処理装置、画像処理装置の制御方法及び画像処理装置が実行するプログラムの提供を目的とする。
【課題を解決するための手段】
【００１１】
（１）携帯端末と画像処理装置とを備えるジョブ実行システムにおいて、携帯端末は、画像処理装置にジョブを登録する登録部を備え、画像処理装置は、原稿の画像を読み取る読取動作を行う読取部と、登録部から登録されたジョブが、読取部による読取動作を含むジョブであるか否かを判断し、読取動作を含むジョブである場合にジョブの実行を制限する制御部と、を備えることを特徴とするジョブ実行システム。
【００１２】
（２）画像処理装置は、認証操作が行われたことに対応して、読取動作を含むジョブについての認証を行う認証部を更に備え、制御部は、登録部から登録されたジョブが読取動作を含むジョブである場合、読取動作を含むジョブについて、少なくとも認証部による認証が完了するまでジョブの実行を制限することを特徴とする（１）に記載のジョブ実行システム。
【００１３】
（３）制御部は、認証操作と、読取部に対し原稿を載置する原稿載置操作との順番を判断し、原稿載置操作の前に認証操作が行われた場合、実行が制限されていた読取動作を含むジョブの実行を許可し、原稿載置操作の後に認証操作が行われた場合、実行が制限されていた読取動作を含むジョブの実行の制限を維持することを特徴とする（２）に記載のジョブ実行システム。
【００１４】
（４）画像処理装置は、原稿載置操作の後に認証操作が行われた場合、警告を行う警告部を更に備えることを特徴とする（３）に記載のジョブ実行システム。
【００１５】
（５）制御部は、携帯端末又は画像処理装置において、実行の制限が維持された読取動作を含むジョブについての実行指示をユーザーから受け付けたことに応じて、読取動作を含むジョブの実行を許可することを特徴とする（３）又は（４）に記載のジョブ実行システム。
【００１６】
（６）携帯端末は、登録するジョブの設定を受け付けるジョブ設定受付部を更に備え、登録部は、ジョブを登録するとき、ジョブ設定受付部が受け付けたジョブの設定を、画像処理装置に送信し、画像処理装置は、ジョブの設定に基づいてジョブを実行することを特徴とする（２）〜（５）のいずれか一項に記載のジョブ実行システム。
【００１７】
（７）認証操作は、少なくとも、携帯端末を用いた認証操作、パスワード認証操作、生体認証操作のいずれか１つであることを特徴とする（２）〜（６）のいずれか一項に記載のジョブ実行システム。
【００１８】
（８）画像処理装置にジョブを登録できる携帯端末と通信接続が可能な画像処理装置であって、原稿の画像を読み取る読取動作を行う読取部と、通信接続されている携帯端末から登録されたジョブが、読取部による読取動作を含むジョブであるか否かを判断し、読取動作を含むジョブである場合にジョブの実行を制限する制御部と、を備えることを特徴とする画像処理装置。
【００１９】
（９）画像処理装置にジョブを登録できる携帯端末と通信接続が可能な画像処理装置の制御方法であって、原稿の画像を読み取る読取動作を行うステップと、通信接続されている携帯端末から登録されたジョブが、読取動作を含むジョブであるか否かを判断し、読取動作を含むジョブである場合にジョブの実行を制限するステップと、を含む画像処理装置の制御方法。
【００２０】
（１０）画像処理装置にジョブを登録できる携帯端末と通信接続が可能な画像処理装置に、原稿の画像を読み取る読取動作を行うステップと、通信接続されている携帯端末から登録されたジョブが、読取動作を含むジョブであるか否かを判断し、読取動作を含むジョブである場合にジョブの実行を制限するステップと、を実行させるためのプログラム。
【発明の効果】
【００２１】
本発明によると、登録されたジョブが、読取動作を含むジョブであるか否かを判断し、読取動作を含むジョブである場合にジョブの実行を制限することで、登録されたジョブに応じて、読取ジョブの実行を制限するので、ユーザーが意図しない原稿に基づいて読取ジョブを実行してしまうことによるセキュリティーの低下を抑制することができ、さらに操作性の悪化を改善することができる。
【図面の簡単な説明】
【００２２】
【図１】本発明に係るジョブ実行システム１のシステム構成図である。
【図２】本発明に係るＭＦＰ２のハードウェア構成図である。
【図３】本発明に係る携帯端末３のハードウェア構成図である。
【図４】携帯端末３が備える機能の機能ブロック図である。
【図５】ＭＦＰ２が備える機能の機能ブロック図である。
【図６】（ａ）は、ユーザーからＭＦＰ２の検索の指示を受け付ける画面である。（ｂ）は、接続するＭＦＰ２の選択をユーザーから受け付ける画面である。
【図７】接続中のＭＦＰ２に登録可能なジョブ種類の一覧を含む画面である。
【図８】（ａ）は、スキャンジョブのジョブ設定をユーザーから受け付ける画面である。（ｂ）は、プリントジョブのジョブ設定をユーザーから受け付ける画面である。
【図９】ＭＦＰ２にジョブを登録するか否かの選択をユーザーから受け付ける画面である。
【図１０】（ａ）は、ジョブが登録されたことと、認証が必要となることを示すメッセージを表示する画面である。（ｂ）は、ジョブが受け付けられたことと、ジョブが実行中であることを示すメッセージを表示する画面である。
【図１１】原稿が載置された状態でスキャンジョブが認証されたことをユーザーに警告する画面である。
【図１２】認証操作が原稿載置操作の後に行われたと判別されたとき、ユーザーに警告を行う画面である。
【図１３】（ａ）は、実行中のプリントジョブと認証待ちのスキャンジョブとが登録された状態を示す図である。（ｂ）は、新たなプリントジョブが登録された状態を示す図である。
【図１４】携帯端末３が実行する処理を示すフローチャートである。
【図１５】ＭＦＰ２が実行する処理を示すフローチャートである。
【図１６】ユーザーからジョブの実行の指示を受け付ける画面である。
【発明を実施するための形態】
【００２３】
（実施形態）
本発明の本実施形態に係るジョブ実行システム１の構成及びその動作について図面を参照して説明する。
【００２４】
図１は、本発明の本実施形態に係るジョブ実行システム１のシステム構成図を示す。
【００２５】
図１を参照して、ジョブ実行システム１はＬＡＮ（Ｌｏｃａｌ  Ａｒｅａ  Ｎｅｔｗｏｒｋ）等のネットワーク１００を介して、複数の複合機（ＭＦＰ：Ｍｕｌｔｉ  Ｆｕｎｃｔｉｏｎ  Ｐｅｒｉｐｈｅｒａｌ）２（画像処理装置）と携帯端末３とが接続されて構成される。図１では、複数のＭＦＰ２同士が有線ＬＡＮで接続され、複数の携帯端末３同士、及び携帯端末３とＭＦＰ２とが無線ＬＡＮで接続される例を示しているが、全ての装置を無線ＬＡＮで接続するようにしても良い。なお、ネットワーク１００はＬＡＮに限らず、ＷＡＮ（Ｗｉｄｅ  Ａｒｅａ  Ｎｅｔｗｏｒｋ）やインターネットでも良い。
【００２６】
以下の説明において、ＭＦＰ２Ａ〜ＭＦＰ２Ｃを区別する必要がないときにはそれらを総称して単にＭＦＰ２と呼び、携帯端末３Ａ〜携帯端末３Ｃを区別する必要がないときには単に携帯端末３と呼ぶ。
【００２７】
ＭＦＰ２は、コピージョブ、プリントジョブ、スキャンジョブ、ファクスジョブ、ボックスジョブを実行することができる。プリントジョブは、携帯端末３から送信される印刷データをプリントするいわゆるＰＣプリントの他に、ＭＦＰ２に接続されるＵＳＢ（Ｕｎｉｖｅｒｓａｌ  Ｓｅｒｉａｌ  Ｂｕｓ）メモリー等の可搬性記憶メディアに記憶された印刷データをプリントするメディアプリントを含む。スキャンジョブは、スキャンデータを、ＥｍａｉｌやＳＭＢ（Ｓｅｒｖｅｒ  Ｍｅｓｓａｇｅ  Ｂｌｏｃｋ）、ＦＴＰ（Ｆｉｌｅ  Ｔｒａｎｓｆｅｒ  Ｐｒｏｔｏｃｏｌ）等のプロトコルで他の装置に送信するスキャン送信の他に、スキャンデータをＵＳＢメモリー等の可搬性記憶メディアに保存するスキャンｔｏメディア、スキャンデータをボックスに保存するスキャンｔｏボックスを含む。ファクスジョブは、ＭＦＰ２が備えるスキャナーが読み取った読取画像をファクス送信するジョブである。
【００２８】
ボックスジョブは、ＭＦＰ２が備えるボックス（フォルダー）に記憶されたデータを用いて実行されるジョブである。具体的には、ボックス（フォルダー）に記憶された印刷データをプリントするボックスプリントや、ボックスに記憶された画像データをＥｍａｉｌやＳＭＢ、ＦＴＰ等のプロトコルで他の装置に送信するボックス送信、ボックスに記憶された画像データをファクス送信するボックスｔｏファクスを含む。
【００２９】
携帯端末３は、ＭＦＰ２で実行するコピージョブ、プリントジョブ、スキャンジョブ、ファクスジョブに関する設定をユーザーから受け付け、ＭＦＰ２に対してジョブを登録（送信）することができる。
【００３０】
ＭＦＰ２は、携帯端末３からジョブを受信すると、そのジョブが、ＭＦＰ２が備えるスキャナーによる読取動作を含まないジョブであれば自動的に実行する。一方、受信したジョブが読取動作を含むジョブ（以下、読取ジョブと呼ぶことがある。）であれば、一旦ジョブを保持して（ジョブの実行を制限して）、後に携帯端末３を用いたＭＦＰ２に対する認証操作がユーザーにより行われ、ＭＦＰ２もしくは携帯端末３がユーザーからジョブの実行を開始する指示（実行指示）を受け付けたことに対応してジョブの実行を許可する。認証操作についての詳しい説明は後述する。
【００３１】
なお、スキャンジョブとは、前述の通りスキャンデータを他の装置に送信するスキャン送信やスキャンｔｏメディア、スキャンｔｏボックスであり、読取ジョブとは、スキャンジョブ、コピージョブのように少なくとも読取動作を含むジョブである。
【００３２】
図２は、ＭＦＰ２のハードウェア構成図を示す。ＭＦＰ２は、原稿読取部４（スキャナー）、原稿検知部５、画像処理部６、画像形成部７、制御部８、記憶部９、データインターフェース部（データＩＦ部）１０、認証ＩＦ部１４、操作表示部１５を備える。
【００３３】
制御部８は、ＣＰＵであり、記憶部９に記憶されたプログラムを実行し、原稿読取部４（スキャナー）、原稿検知部５、画像処理部６、画像形成部７、記憶部９、データＩＦ部１０、認証ＩＦ部１４、操作表示部１５を制御することでＭＦＰ２の機能を実現する。
【００３４】
記憶部９は、主としてＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ＨＤＤ（Ｈａｒｄ  Ｄｉｓｃ  Ｄｒｉｖｅ）等を備える。記憶部９は、制御部８が実行するプログラムを含む、ＭＦＰ２の機能を実現するために必要なデータや、ジョブに関するデータを記憶する。ＨＤＤはボックスとしての機能も実現する。
【００３５】
データＩＦ部１０は、ＬＡＮＩＦ部１１、記憶メディアＩＦ部１２、ＦＡＸＩＦ部１３を含む。ＬＡＮＩＦ部１１は、ＬＡＮ（ネットワーク１００）を介して、携帯端末３との間でジョブに関連するデータの送受信を行う。記憶メディアＩＦ部１２は、可搬性記憶メディアからジョブに関連するデータを取得し、可搬性記憶メディアにジョブに関連するデータを記憶する。ＦＡＸＩＦ部１３は、ファクス回線を介してファクスデータの送受信を行う。
【００３６】
原稿読取部４（読取部）は、自動原稿搬送装置により読取位置に搬送された原稿、又はプラテンガラス上に設置された原稿の画像を光学的に読み取り、読取データを生成し、生成した読取データを記憶部９に記憶させる。
【００３７】
原稿検知部５は、自動原稿搬送装置の原稿トレイ又はプラテンガラス上に載置された原稿を検知する、光学式又は機械式のセンサーである。
【００３８】
画像処理部６は、ＬＡＮＩＦ部１１や記憶メディアＩＦ部１２が取得した印刷データに対しラスタライズ処理を行い、ラスターデータを生成する。また、画像処理部６は、ＦＡＸＩＦ部１３が受信したファクスデータに基づいてラスターデータを生成する。以下の説明においては、原稿読取部４が生成した読取データと、印刷データ又はファクスデータに基づいて画像処理部６が生成したラスターデータとを総称して単にラスターデータを呼ぶ。さらに、画像処理部６は、ラスターデータに対し、シャープネス処理、スムージング処理、色変換処理等の画像処理を行う。
【００３９】
画像形成部７は、画像処理部６により画像処理されたラスターデータに基づいて画像形成を行う。画像形成の方式は、例えば電子写真方式を採用することができ、その他にインクジェット方式、熱転写方式なども採用できる。
【００４０】
認証ＩＦ部１４（認証部）の説明は、後述する。
【００４１】
操作表示部１５は、ディスプレイ１６、タッチパネル１７、操作キー１８を備える。
【００４２】
ディスプレイ１６は、例えば、液晶ディスプレイ（ＬＣＤ（Ｌｉｑｕｉｄ  Ｃｒｙｓｔａｌ  Ｄｉｓｐｌａｙ））であり、操作画面を表示することができる。操作画面は、例えば、ジョブの設定を受け付ける画面や、ジョブのステータスを表示する画面を含む。操作画面の詳細については後述する。
【００４３】
タッチパネル１７は、液晶ディスプレイの画面上に設けられ、ペンや指等で押下された座標位置を検知する。
【００４４】
操作キー１８は、例えばハードキーであり、テンキー、スタートキーを含む。テンキーは数字や記号の入力を受け付けるためのキーである。スタートキーはＭＦＰ２の動作開始の指示を受け付ける。
【００４５】
図３は、携帯端末３のハードウェア構成図を示す。携帯端末３は、制御部１９、記憶部２０、ＬＡＮＩＦ部２１、認証ＩＦ部２２、操作表示部２３を備える。
【００４６】
制御部１９は、ＣＰＵであり、記憶部２０に記憶されたプログラムを実行し、記憶部２０、ＬＡＮＩＦ部２１、認証ＩＦ部２２、操作表示部２３を制御することで携帯端末３の機能を実現する。
【００４７】
記憶部２０は、主としてＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ＨＤＤ（Ｈａｒｄ  Ｄｉｓｃ  Ｄｒｉｖｅ）等を備える。記憶部２０は、制御部１９が実行するプログラムを含む、携帯端末３の機能を実現するために必要なデータや、ジョブに関するデータを記憶する。
【００４８】
ＬＡＮＩＦ部２１は、ＬＡＮ等のネットワーク１００を介して、ＭＦＰ２との間でジョブに関連するデータの送受信を行う。
【００４９】
認証ＩＦ部２２は、ＭＦＰ２との間で近距離通信プロトコルを利用して認証を行うためのインターフェースであり、非接触型の通信方式によりＭＦＰ２と認証に関するデータを送受信する。以下、非接触型の通信方式により、携帯端末３とＭＦＰ２との間で認証に関するデータを送受信し、ジョブを認証する処理のことを認証処理と呼ぶことがある。認証ＩＦ部２２は、非接触型の中でも密着型の通信方式を採用しており、ＭＦＰ２が備える認証ＩＦ部１４の上に携帯端末３が載置されることで、ＭＦＰ２との認証処理が可能となる。
【００５０】
操作表示部２３は、ディスプレイ２４と、タッチパネル２５を備える。
【００５１】
ディスプレイ２４は、例えば、液晶ディスプレイ（ＬＣＤ（Ｌｉｑｕｉｄ  Ｃｒｙｓｔａｌ  Ｄｉｓｐｌａｙ））であり、操作画面を表示することができる。操作画面は、例えば、ジョブの設定を受け付ける画面や、ジョブのステータスを表示する画面を含む。
【００５２】
タッチパネル２５は、液晶ディスプレイの画面上に設けられ、ペンや指等で押下された座標位置を検知する。
【００５３】
図４は、携帯端末３が備える機能の機能ブロック図を示す。携帯端末３は、端末識別情報記憶部２７、ＭＦＰ検索部２８、機能選択受付部２９、設定受付部３０、ジョブ登録部３１、ステータス表示部３２、認証ＩＦ部２２、警告部３４、実行指示受付部３５、指示送信部３６として機能する。
【００５４】
端末識別情報記憶部２７は、携帯端末３を識別（特定）するための端末識別情報を記憶する。端末識別情報は、携帯端末３を識別できる情報であれば何でもよく、例えば、ＬＡＮＩＦ部２１に与えられているＭＡＣアドレスが用いられる。
【００５５】
ＭＦＰ検索部２８は、ジョブ実行システム１の中からジョブを登録可能なＭＦＰ２を検索する。ＭＦＰ検索部２８は、ジョブ実行システム１の全てのＭＦＰ２に対しジョブ登録に関する接続要求を出し、接続要求に対する返信があったＭＦＰ２を接続可能なＭＦＰ２として特定する。
【００５６】
ＭＦＰ検索部２８は、図６（ａ）に示す画面を操作表示部２３に表示し、ユーザーからＭＦＰ２の検索の指示を受け付ける。図６（ａ）に示す画面は、例えば、操作表示部２３が表示する所定のキー（ボタン）をユーザーが押下したことに応じて表示される。
【００５７】
ＭＦＰ検索部２８は、ジョブ登録に関する接続要求に対し、ＭＦＰ２から返信があったとき、図６（ｂ）に示す様な、接続可能なＭＦＰ２の一覧を含む画面を操作表示部２３に表示し、接続するＭＦＰ２の選択をユーザーから受け付ける。
【００５８】
ＭＦＰ検索部２８は、図６（ｂ）に示す画面においてユーザーが、いずれかのＭＦＰ２に対応する「接続」キーを押下しＭＦＰ２を選択すると、携帯端末３の端末識別情報を送信し、選択されたＭＦＰ２と接続を確立する。
【００５９】
機能選択受付部２９は、接続中のＭＦＰ２に登録するジョブ種類（ジョブに対応する機能）の選択をユーザーから受け付ける。機能選択受付部２９は、接続中のＭＦＰ２から、そのＭＦＰ２で実行可能な（登録可能な）ジョブの情報を取得し、図７に示す様な、接続中のＭＦＰ２に登録可能なジョブ種類の一覧を含む画面を操作表示部２３に表示し、登録するジョブ種類の選択をユーザーから受け付ける。機能選択受付部２９は、図７に示す画面を操作表示部２３に表示し、「コピー」、「プリント」、「スキャン」、「ファクス」、「ボックス」のいずれかのキーの押下をユーザーから受け付け、押下されたキーに対応するジョブ種類の選択を受け付ける。図７に示す画面において「キャンセル」が選択されると、ＭＦＰ２との接続を終了する。
【００６０】
設定受付部３０（ジョブ設定受付部）は、機能選択受付部２９が受け付けたジョブ種類に対応する、ジョブの設定（ジョブ設定）をユーザーから受け付ける。設定受付部３０は、機能選択受付部２９がスキャンの選択を受け付けたとき、図８（ａ）に示す画面を操作表示部２３に表示し、スキャンジョブのジョブ設定をユーザーから受け付ける。ユーザーは、それぞれの設定項目について、プルダウンキー（▼）を押下したときに表示される設定値の一覧から所望の設定値を選択することでジョブ設定をすることができる。
【００６１】
図８（ａ）に示す画面において、「決定」が選択されると、ジョブ設定が完了する。「戻る」が選択されると、図７に示す、登録するジョブ種類の選択を受け付ける画面に戻る。
【００６２】
設定受付部３０は、機能選択受付部２９がプリントの選択を受け付けたときには、図８（ｂ）に示す画面を操作表示部２３に表示し、プリントジョブのジョブ設定をユーザーから受け付ける。操作方法は、図８（ａ）に示す画面と同様であるため、繰り返しの説明は省略する。
【００６３】
ジョブ登録部３１（登録部）は、設定受付部３０が受け付けたジョブ設定をＭＦＰ２に送信することでＭＦＰ２にジョブを登録する。ジョブ登録部３１は、図９に示す画面を操作表示部２３に表示し、ＭＦＰ２にジョブを登録するか否かの選択をユーザーから受け付ける。図９に示す画面には、設定受付部３０が受け付けたジョブ設定の一覧が含まれる。図９に示す画面で「決定」が選択されると、ジョブ登録部３１はジョブ設定をＭＦＰ２に送信することでＭＦＰ２にジョブを登録する。「戻る」が選択されると、図８に示す、ジョブ設定を受け付ける画面に戻る。
【００６４】
ジョブ登録部３１は、ＭＦＰ２にジョブを登録するとき、ジョブ設定と関連付けて、携帯端末３を識別するための端末識別情報をＭＦＰ２に送信する。
【００６５】
ステータス表示部３２は、ジョブ登録部３１が登録したジョブのステータス情報をＭＦＰ２から取得し、操作表示部２３に表示する。ステータス表示部３２は、ジョブ登録部３１がスキャンジョブを登録したときには、図１０（ａ）示す画面を表示する。読取動作を含むジョブ（読取ジョブ）は、ＭＦＰ２において、実行が制限され、認証されるまでは実行されないため、スキャンジョブが登録されたときには、ジョブが登録されたことと、認証が必要となることを示すメッセージが表示される。図１０（ａ）に示す画面で「ＯＫ」が選択されると、画面が閉じる。
【００６６】
ステータス表示部３２は、ジョブ登録部３１がプリントジョブを登録したときには、図１０（ｂ）示す画面を表示する。プリントジョブのように、読取動作を含まないジョブは、ＭＦＰ２において認証を要することなく自動的に実行されるため、プリントジョブが登録されたときには、ジョブが受け付けられたことと、ジョブが実行中であることを示すメッセージが表示される。なお、プリントジョブを登録したときに、画像形成部７が他のジョブに関する処理を実行中であったときには、ジョブが実行中であることを示すメッセージの代わりに、後述するＭＦＰ２のジョブ記憶部４８にジョブが記憶された（キューにジョブが記憶された）ことを示すメッセージが表示される。なお、ジョブ記憶部４８に記憶されたプリントジョブは、先のジョブが終了したことを受けて自動的に実行される。図１０（ｂ）に示す画面で「ＯＫ」が選択されると、画面が閉じる。
【００６７】
認証ＩＦ部２２は、携帯端末３とＭＦＰ２の認証ＩＦ部１４との距離が、密着型の通信方式により通信可能な距離になったことを受けて、ＭＦＰ２との間で認証処理を実行する。密着型の通信方式では、数ｍｍ以下の距離で通信可能となるため、携帯端末３がＭＦＰ２の認証ＩＦ部１４と接触する（載置される）か、接触しないまでも、携帯端末３がＭＦＰ２の認証ＩＦ部１４の極近傍にかざされたことを受けてＭＦＰ２との間で認証処理を実行する。認証ＩＦ部２２は、ＭＦＰ２との認証処理において、端末識別情報をＭＦＰ２に送信する。なお、以下の説明において、携帯端末３が、認証ＩＦ部１４に接触する（載置される）及び極近傍にかざされる操作のことを認証操作（携帯端末を用いた認証操作）と呼ぶ。
【００６８】
警告部３４は、読取ジョブについて、自動原稿搬送装置の原稿トレイ又はプラテンガラス上に原稿を載置する操作（以下、原稿載置操作と呼ぶことがある。）と、認証操作との順番に応じて、ユーザーに警告（報知）を行う。警告部３４は、原稿が載置された状態で認証操作が行われたとき、つまり認証操作が原稿載置操作の後に行われたとき、図１１に示す画面を操作表示部２３に表示し、原稿が載置された状態で読取ジョブが認証されたことをユーザーに警告する。
【００６９】
本実施形態のジョブ実行システム１では、携帯端末３を、認証ＩＦ部１４に接触させる（載置する）又は極近傍にかざさないと認証処理を実行することができない。従って、原稿が載置されていない状態で認証操作が行われたとき、つまり、認証操作が行われた後に原稿載置操作が行われたときには、ユーザーが意図しない原稿に基づいてジョブが実行される恐れは極めて低い。一方、原稿が載置された状態で認証操作が行われたとき、つまり、認証操作が原稿載置操作の後に行われたときには、別のユーザーにより載置された原稿に基づいて誤ってジョブが実行される恐れがある。そこで、警告部３４は、認証操作が原稿載置操作の後に行われたときに図１１に示す画面を操作表示部２３に表示し、ユーザーに警告する。
【００７０】
図１１に示す画面を見たユーザーは、原稿がユーザー自身によって載置されたものであるか否かを確認し、別のユーザーの原稿であれば自分の原稿と入れ替える。
【００７１】
実行指示受付部３５は、警告部３４による警告が行われたとき、警告が行われたジョブについての実行指示を受け付ける。実行指示受付部３５は、図１１に示す画面において、ジョブの実行指示を受け付ける。
【００７２】
指示送信部３６は、実行指示受付部３５がユーザーから受け付けた実行指示を、ＭＦＰ２に送信する。指示送信部３６は、図１１に示す画面において、「実行」が選択されたとき、ジョブの実行指示をＭＦＰ２に送信し、「キャンセル」が選択されたとき、ジョブを実行しない（ジョブの実行をキャンセルする）指示をＭＦＰ２に送信する。
【００７３】
なお、携帯端末３は、図６〜１１に示す様な操作画面に関する画像データを、自機が実行するプログラムで生成しても良いし、操作画面に関する画像データをＭＦＰ２から取得しても良い。操作画面に関する画像データをＭＦＰ２から取得する場合には、例えば、ＭＦＰ２がＷＥＢサーバー機能を持ち、携帯端末３が実行するウェブブラウザーを介して、ＭＦＰ２のＷＥＢサーバーからＷＥＢページの情報を取得することにより、操作画面を操作表示部２３に表示しても良い。
【００７４】
図５は、ＭＦＰ２の機能の機能ブロック図を示す。ＭＦＰ２は、ジョブ受信部３７、ステータス送信部３８、ジョブ制御部３９、認証ＩＦ部１４、警告部４５、実行指示受付部４６、ジョブ記憶部４８、データ記憶部４９として機能する。
【００７５】
データ記憶部４９は、スキャンデータや印刷データを記憶するボックスとして機能する。
【００７６】
ジョブ受信部３７は、携帯端末３のジョブ登録部３１から送信された、ジョブ設定と端末識別情報とを受信し、それらを対応付けてジョブ記憶部４８に記憶することにより、ジョブを登録する。
【００７７】
ステータス送信部３８は、ジョブ受信部３７により登録されたジョブ（登録ジョブ）のステータスを取得し、それぞれのジョブを登録した携帯端末３に対し、対応するジョブのステータス情報を送信する。前述のように、ステータス情報を受信した携帯端末３は、図１０（ａ）、図１０（ｂ）に示す様な、ジョブのステータスを含む画面を表示する。
【００７８】
ジョブ制御部３９（ジョブの実行を制限する制御部）は、登録ジョブの実行を制御する。ジョブ制御部３９は、ジョブ判別部４０、操作順判別部４４、実行制限部４１、実行部４２を含む。
【００７９】
ジョブ判別部４０は、登録ジョブが読取ジョブか否かを判別する。ジョブ判別部４０は、登録ジョブが、コピージョブや、スキャンジョブ（スキャン送信、スキャンｔｏメディア、スキャンｔｏボックス）、ファクスジョブであったときに、読取ジョブであると判別する。
【００８０】
操作順判別部４４は、認証ＩＦ部１４により読取ジョブが認証されたとき、そのジョブについて、原稿載置操作と認証操作の順番を判別する。具体的には、操作順判別部４４は、認証操作が原稿載置操作の後に行われたか否かを判別する。
【００８１】
実行制限部４１は、ジョブ判別部４０の判別結果に基づいてジョブの実行を制限する。実行制限部４１は、ジョブ判別部４０が、登録ジョブが読取ジョブであると判別したとき、少なくともその登録ジョブについての認証が完了するまでジョブの実行を制限する。つまり、自動的にジョブを実行せずに、少なくとも、そのジョブに対応する認証が完了するまでジョブの実行を制限する。
【００８２】
実行制限部４１は、登録ジョブが読取動作を含まないジョブであるとき、ジョブの実行を制限せずに、実行の開始を許可する。読取動作を含まないジョブは、登録されたことを受けて直ぐに実行されるか、他のジョブが実行中で直ぐに実行できないときは、ジョブ記憶部４８に記憶され、先のジョブが完了したことを受けて自動的に実行される。
【００８３】
実行制限部４１は、更に、読取ジョブが認証されたときに、原稿載置操作と認証操作の順番に応じて、ジョブの実行を許可するか、ジョブの実行を制限した状態（ジョブ実行制限状態）を維持するかを切り替える。原稿載置操作と認証操作の順番に応じた、実行制限部４１の制御内容の詳細は後述する。
【００８４】
実行部４２は、実行制限部４１により実行が許可されたジョブを実行する。
【００８５】
認証ＩＦ部１４（認証部）は、携帯端末３による認証操作が行われたことを受けて、携帯端末３との間で認証処理を実行する。認証ＩＦ部１４は、端末識別情報を携帯端末３から受信し、受信した端末識別情報に対応付けてジョブ記憶部４８に記憶されている読取ジョブを認証する。認証ＩＦ部１４は、あるユーザーが既にログインしている状態で、他のユーザーによる携帯端末３を用いた認証操作を受けたときには、他のユーザーによる認証操作に基づく認証処理は実行しない。
【００８６】
警告部４５は、操作順判別部４４により、認証操作が原稿載置操作の後に行われたと判別されたとき、携帯端末３にその旨を通知し、携帯端末３の操作表示部２３に図１１に示す様な画面を表示させ、ユーザーに警告を行う。
【００８７】
また、警告部４５は、操作順判別部４４により、認証操作が原稿載置操作の後に行われたと判別されたとき、ＭＦＰ２の操作表示部１５に図１２に示す様な画面を表示し、ユーザーに警告を行うことができる。
【００８８】
実行指示受付部４６は、警告部４５による警告が行われたとき、警告が行われたジョブについての実行指示を受け付ける。実行指示受付部４６は、携帯端末３の操作表示部２３に表示される図１１に示す画面において「実行」が選択されると、携帯端末３の指示送信部３６を介してジョブの実行指示を受け付ける。また、実行指示受付部４６は、自機の操作表示部１５に表示された図１２に示す画面において「実行」が選択されることにより、又は図１２に示す画面が表示された状態で、操作キー１８に含まれるスタートキーが押下されることにより、ジョブの実行指示を受け付ける。
【００８９】
また、実行指示受付部４６は、携帯端末３の操作表示部２３に表示される図１１に示す画面において「キャンセル」が選択される、又は自機の操作表示部１５に表示された図１２に示す画面において「キャンセル」が選択されることによりジョブ実行のキャンセルを受け付ける。
【００９０】
ここで、実行制限部４１の説明に戻る。前述のように、実行制限部４１は、登録ジョブが読取ジョブであると判別したとき、少なくともその登録ジョブについての認証が完了するまでジョブの実行を制限する。そして、実行制限部４１は、読取ジョブが認証されたとき、操作順判別部４４により認証操作が原稿載置操作の後に行われたと判別されると、ジョブ実行制限状態を維持する。一方、操作順判別部４４により認証操作が原稿載置操作の前に行われたと判別されると、ジョブの実行を許可する。
【００９１】
さらに、実行制限部４１は、認証されたときにジョブ実行制限状態を維持した読取ジョブについて、実行指示受付部４６によりジョブの実行指示が受け付けられると、ジョブの実行を許可する。
【００９２】
このように、実行制限部４１は、読取ジョブについて少なくとも認証が完了するまでは実行を制限し、認証が完了したとき、認証操作が原稿載置操作の前に行われた場合に限ってジョブの実行を許可し、認証が完了したときに実行が許可されなかった読取ジョブについては、実行指示を受け付けたときにジョブの実行を許可する。
【００９３】
ジョブ記憶部４８は、ジョブ受信部３７を介して受信されたジョブ設定と端末識別情報とを相互に対応付けて記憶することによりジョブを登録する。ジョブ記憶部４８は、認証待ちのスキャンジョブを既に登録しているときでも、新たなジョブを登録することができる。例えば、図１３（ａ）に示す様に、実行中のプリントジョブと認証待ちのスキャンジョブとが登録された状態で、プリントジョブが新たに登録されると、図１３（ｂ）に示す様に、スキャンジョブの次に新たなプリントジョブが登録される。このとき、実行中のプリントジョブが完了するまでにスキャンジョブが認証されない場合は、実行部４２は、スキャンジョブを飛び越えて、新たなプリントジョブを実行する。つまり、実行部４２は、ジョブ記憶部４８に、実行が制限されたジョブと実行が許可されたジョブとが登録されているときは、登録順に関わらず、実行が許可されたジョブを優先して実行する。
【００９４】
図１４は、携帯端末３が実行する処理を示すフローチャートである。制御部１９は、記憶部２０に記憶されたプログラムを実行することにより、図１４に示す処理を実行する。
【００９５】
携帯端末３は、ユーザーからＭＦＰ２を検索する指示を受け付けると（ステップＳ１４０１でＹＥＳ）、ＭＦＰ２の検索を行い（ステップＳ１４０２）、ユーザーが所望するＭＦＰ２との接続を確立する（ステップＳ１４０３）。具体的には、携帯端末３は、図６（ａ）に示す画面において「はい」が選択されると、ジョブ実行システム１の全てのＭＦＰ２に対しジョブ登録に関する接続要求を送信し、要求接続に対する返信があったＭＦＰ２について図６（ｂ）に示す画面を表示する。携帯端末３は、図６（ｂ）に示す画面においていずれかのＭＦＰ２に対応する「接続」キーが押下されると、そのＭＦＰ２との接続を確立する。携帯端末３は、ユーザーからＭＦＰ２を検索する指示を受け付けていないときには（ステップＳ１４０１でＮＯ）、ステップＳ１４０７に進む。
【００９６】
携帯端末３は、図７に示す画面を操作表示部２３に表示し、接続中のＭＦＰ２に登録するジョブ種類の選択をユーザーから受け付ける（ステップＳ１４０４）。
【００９７】
携帯端末３は、図８（ａ）もしくは図８（ｂ）に示す画面を操作表示部２３に表示し、ステップＳ１４０４で選択されたジョブ種類に対応するジョブ設定をユーザーから受け付ける（ステップＳ１４０５）。
【００９８】
携帯端末３は、図９に示す画面を操作表示部２３に表示し、ユーザーにより「決定」が選択されると、ジョブ設定をＭＦＰ２に送信することでＭＦＰ２にジョブを登録する（ステップＳ１４０６）。このとき、携帯端末３は、ジョブ設定と関連付けて、携帯端末３を識別するための端末識別情報をＭＦＰ２に送信する。
【００９９】
携帯端末３は、ＭＦＰ２からステータス情報を取得したときには（ステップＳ１４０７でＹＥＳ）、受信したステータス情報に応じて、図１０（ａ）又は図１０（ｂ）に示す画面を操作表示部２３に表示する（ステップＳ１４０８）。ＭＦＰ２からステータス情報を取得していないときには（ステップＳ１４０７でＮＯ）、ステップＳ１４０９に進む。
【０１００】
携帯端末３は、認証操作が行われたときには（ステップＳ１４０９でＹＥＳ）、ＭＦＰ２との間で認証処理を実行する（ステップＳ１４１０）。認証操作が行われていないときには（ステップＳ１４０９でＮＯ）、ステップＳ１４１１に進む。
【０１０１】
携帯端末３は、ＭＦＰ２から警告に関する指示を受け付けると（ステップＳ１４１１でＹＥＳ）、図１１に示す画面を操作表示部２３に表示することにより、原稿が載置された状態で読取ジョブが認証されたことをユーザーに警告する（ステップＳ１４１２）。ＭＦＰ２から警告に関する指示を受け付けていないときには（ステップＳ１４１１でＮＯ）、ステップＳ１４１４に進む。
【０１０２】
携帯端末３は、図１１に示す画面において、ジョブの実行に関する指示をユーザーから受け付ける（ステップＳ１４１３）。
【０１０３】
携帯端末３は、図１１に示す画面において、「実行」が選択されると（ステップＳ１４１４でＹＥＳ）、ジョブを実行する指示をＭＦＰ２に送信する（ステップＳ１４１５）。一方、図１１に示す画面において、「実行」が選択されないとき（ステップＳ１４１４でＮＯ）、ステップＳ１４１６の処理に進む。そして、図１１に示す画面において、「キャンセル」が選択されると（ステップＳ１４１６でＹＥＳ）、携帯端末３は、ジョブの実行をキャンセルする指示をＭＦＰ２に送信する（ステップＳ１４１７）。一方、図１１に示す画面において、「キャンセル」が選択されないとき（ステップＳ１４１６でＮＯ）、ステップＳ１４０１の処理に戻る。
【０１０４】
携帯端末３は、ステップＳ１４１７まで処理が進むと、ステップＳ１４０１の処理に戻り、ステップＳ１４０１〜ステップＳ１４１７の処理を繰り返し実行する。
【０１０５】
図１５は、ＭＦＰ２が実行する処理を示すフローチャートである。制御部８は、記憶部９に記憶されたプログラムを実行することにより、図１５に示す処理を実行する。
【０１０６】
ＭＦＰ２は、携帯端末３からジョブ設定と端末識別情報を受信すると（ステップＳ１５０１でＹＥＳ）、受信したジョブ設定と端末識別情報とを対応付けてジョブ記憶部４８に記憶させることによりジョブを登録する（ステップＳ１５０２）。
【０１０７】
ＭＦＰ２は、登録ジョブが読取ジョブか否かを判別する（ステップＳ１５０３）。ＭＦＰ２は、登録ジョブが読取ジョブであるとき（ステップＳ１５０３でＹＥＳ）、その登録ジョブの実行を制限し（ステップＳ１５０４）、登録ジョブが読取ジョブでないとき（ステップＳ１５０３でＮＯ）、その登録ジョブの実行を許可する（ステップＳ１５１１）。
【０１０８】
ＭＦＰ２は、ジョブ記憶部４８に登録されている登録ジョブのステータスを取得し、それぞれのジョブを登録した携帯端末３に対し、対応するジョブのステータス情報を送信する（ステップＳ１５０５）。
【０１０９】
ＭＦＰ２は、携帯端末３による認証操作が行われると（ステップＳ１５０６でＹＥＳ）、ジョブ記憶部４８に登録されている登録ジョブのうち、認証操作が行われた携帯端末３に対応する読取ジョブについての認証処理を実行する（ステップＳ１５０７）。携帯端末３による認証操作が行われないとき（ステップＳ１５０６でＮＯ）、ステップＳ１５１０に進む。
【０１１０】
ＭＦＰ２は、認証された読取ジョブについて、原稿載置操作と認証操作の操作順を判別する（ステップＳ１５０８）。認証操作が原稿載置操作よりも前に行われたとき（ステップＳ１５０８でＮＯ）、認証された読取ジョブの実行を許可する（ステップＳ１５１１）。一方、認証操作が原稿載置操作よりも後に行われたとき（ステップＳ１５０８でＹＥＳ）、ＭＦＰ２は、携帯端末３の操作表示部２３に図１１に示す画面を表示させ、原稿が載置された状態で読取ジョブが認証されたことをユーザーに警告する（ステップＳ１５０９）。また、ＭＦＰ２は、自機の操作表示部１５に図１２に示す画面を表示し、警告することもできる。
【０１１１】
携帯端末３の操作表示部２３に表示された図１１に示す画面、又は自機の操作表示部１５に表示された図１２に示す画面において、ジョブ実行指示が行われると（ステップＳ１５１０でＹＥＳ）、ＭＦＰ２は、認証された読取ジョブの実行を許可する（ステップＳ１５１１）。一方、ジョブ実行指示が行われないときは（ステップＳ１５１０でＮＯ）、ステップＳ１５１３に進む。
【０１１２】
ステップＳ１５１１において実行が許可されたジョブについて、ＭＦＰ２は、そのジョブに対応付けてジョブ記憶部４８に記憶されたジョブ設定に基づいてジョブを実行する（ステップＳ１５１２）。なお、認証操作が原稿載置操作よりも後に行われた場合（ステップＳ１５０８でＹＥＳ）のジョブの実行のタイミングとしては、原稿検知部５が原稿を検知したことを受けて、自動的にジョブを実行しても良いし、自機の操作表示部１５が備える操作キー１８（例えば、スタートキー）の押下や、図１６のように、ユーザーからジョブの実行の指示を受け付ける画面を操作表示部１５上に表示し、図１６に示す「スタート」ボタンの押下をユーザーから受け付けたことを受けて、ジョブを実行しても良い。図１６に示す画面において「キャンセル」ボタンの押下をユーザーから受け付けると、ステップＳ１５０１等の前の処理に戻る（図１５には不図示）。
【０１１３】
ＭＦＰ２は、携帯端末３の操作表示部２３に表示された図１１に示す画面、又は自機の操作表示部１５に表示された図１２に示す画面において、ジョブの実行をキャンセルする指示が行われると（ステップＳ１５１３でＹＥＳ）、ジョブ実行制限状態を維持し（ステップＳ１５１４）、ステップＳ１５０１の処理に戻る。一方、ジョブの実行をキャンセルする指示が行われないと（ステップＳ１５１３でＮＯ）、ステップＳ１５０１の処理に戻る。ＭＦＰ２は、ステップＳ１５０１〜ステップＳ１５１４の処理を繰り返し実行する。
【０１１４】
本発明の本実施形態に係るジョブ実行システム１は、携帯端末３により登録されたジョブが読取ジョブであったとき、少なくとも、携帯端末３とＭＦＰ２との間で近距離通信プロトコルを用いた認証が完了するまで、ジョブの実行を制限するため、ユーザーが意図しない原稿（例えば、他のユーザーが載置した原稿）に基づいてジョブが実行されることを抑制することができる。
【０１１５】
また、本発明の本実施形態に係るジョブ実行システム１は、ＭＦＰ２の近くにいるか否かに関わらず、ジョブの登録を行うことができるため、例えば、ＭＦＰ２から離れた場所で予めジョブの登録をしておき、ＭＦＰ２の近くでは認証を行うだけで読取ジョブを実行することができる。これにより、ジョブ設定を行うためにＭＦＰ２を占有することでＭＦＰ２の稼働率を低下させてしまうことなく、ユーザーが意図しない原稿（例えば、他のユーザーが載置した原稿）に基づいてジョブが実行されることを抑制することができる。
【０１１６】
また、本発明の本実施形態に係るジョブ実行システム１は、携帯端末３により登録されたジョブが読取ジョブでないときには、ジョブの実行を制限せずに、ジョブの実行を許可するため、読取ジョブ以外のジョブについてのユーザーの利便性を低下させることなく、読取ジョブについてユーザーが意図しない原稿に基づいてジョブが実行されることを抑制することができる。
【０１１７】
また、本発明の本実施形態に係るジョブ実行システム１は、携帯端末３とＭＦＰ２との間で近距離通信プロトコルを用いた認証が完了したとしても、認証操作が原稿載置操作の後に行われたときには、ジョブの実行を制限した状態を維持するため、ユーザーが意図しない原稿に基づいてジョブが実行されることを更に抑制することができる。
【０１１８】
また、本発明の本実施形態に係るジョブ実行システム１は、認証操作が原稿載置操作の後に行われたときに、その旨をユーザーに報知する（警告する）ため、ユーザーに対して、載置された原稿が、自らが意図する原稿かどうかを確認させることができ、ユーザーが意図しない原稿に基づいてジョブが実行されることを更に抑制することができる。
【０１１９】
また、本発明の本実施形態に係るジョブ実行システム１は、認証操作が原稿載置操作の後に行われたことを報知した（警告した）後、ユーザーによる実行指示を受け付けたときにジョブの実行を許可するため、ユーザーに対して、載置された原稿が、自らが意図する原稿かどうかを確認させた上で、ジョブを実行することが可能となり、ユーザーが意図しない原稿に基づいてジョブが実行されることを更に抑制することができる。
【０１２０】
また、本発明の本実施形態に係るジョブ実行システム１は、実行が制限された読取ジョブが登録されている状態で、読取ジョブ以外の新たなジョブが新たに登録されたときには、実行が制限された読取ジョブを飛び越して、新たに登録された読取ジョブ以外のジョブを実行するため、読取ジョブ以外のジョブについてのユーザーの利便性を低下させることなく、ユーザーが意図しない原稿に基づいてジョブが実行されることを抑制することができる。
【０１２１】
（変形例１）
上記実施形態においては、密着型の通信方式により、携帯端末３とＭＦＰ２との間で認証処理を行うものとしたが、携帯端末３がＭＦＰ２の近傍にある状態で認証処理が行えればよく、密着型の通信方式の代わりに、専用のドッキングコネクターや、ＵＳＢ等の汎用コネクターを介して携帯端末３とＭＦＰ２とを接続し、認証処理を行っても良い。
【０１２２】
（変形例２）
上記実施形態においては、ジョブを登録するときに、携帯端末３からＭＦＰ２に対してジョブ設定を送信するようにしたが、ジョブ設定を送信するタイミングはジョブの登録時に限られず、例えば、認証処理を行うときや（図１４のステップ１４１０）、実行指示を送信するときに（図１４のステップ１４１５）、携帯端末３からＭＦＰ２に対してジョブ設定を送信するようにしても良い。この場合、ジョブ登録時には、ジョブを識別する情報（ジョブ識別情報）のみを携帯端末３からＭＦＰ２に送信する一方で、携帯端末３にジョブ識別情報に関連付けてジョブ設定を記憶しておき、認証処理時又は実行指示送信時に、携帯端末３に記憶されたジョブ設定を送信する。
【０１２３】
このような構成にしておくことで、ジョブ登録はしたものの、最終的に認証処理や実行指示送信が行われないジョブについてのジョブ設定を携帯端末３からＭＦＰ２に送信する必要がなくなるので、ネットワーク１００の負荷を軽減させることができる。
【０１２４】
（変形例３）
上記実施形態においては、携帯端末３による認証操作が一旦行われると、原稿載置操作と認証操作の順番や、実行指示の有無に応じて、ジョブの実行許可に関する処理を進めたが、本変形例では、携帯端末３が、ＭＦＰ２の認証ＩＦ部１４と接触する、又は認証ＩＦ部１４の極近傍にかざされた状態が続くことを条件に加えて、ジョブの実行許可に関する処理を進める。
【０１２５】
具体的には、図１５を参照して、認証操作が行われたときに（ステップＳ１５０６でＹＥＳ）、携帯端末３に対応する読取ジョブについての認証処理を実行するが（ステップＳ１５０７）、その後、携帯端末３が認証ＩＦ部１４から離れされると、ステップＳ１５０７で一旦認証された読取ジョブの認証状態が取り消され、ステップＳ１５０９以降の処理は実行されない。ここで、認証操作が原稿載置操作よりも前に行われた場合には、ステップＳ１５０７で認証されたことを受けてジョブの実行が許可されるが（ステップＳ１５０８でＮＯ→ステップＳ１５１１）、認証操作が原稿載置操作よりも後に行われた場合には（ステップＳ１５０８でＹＥＳ）、ステップＳ１５０９以降の処理が実行されないので、ジョブの実行が許可されることはない。
【０１２６】
本変形例においては、ユーザーは、例えば、認証ＩＦ部１４の上に携帯端末３を置きっぱなしにすることで、ジョブの実行許可に関する処理を進めることができる。
【０１２７】
本変形例のように、携帯端末３が、ＭＦＰ２の認証ＩＦ部１４と接触する、又は認証ＩＦ部１４の極近傍にかざされた状態が続くことを条件に加えて、ジョブの実行許可に関する処理を進めることで、読取ジョブを実行するユーザーをＭＦＰ２の近くにいさせることができるため、ユーザーが意図しない原稿に基づいてジョブが実行されることを更に抑制することができる。
【０１２８】
また、原稿検知部５を、原稿読取部４により読み取られた後の原稿が排出される排紙トレイ上に載置された原稿も検知できるようにしておき、携帯端末３が認証ＩＦ部１４から離れされたときに、排紙トレイ上に原稿が残っていることを検知した場合は、排紙トレイ上に原稿が残っていることをユーザーに報知するようにしても良い。これにより、読取ジョブに関する原稿の取り忘れを抑制することができる。
【０１２９】
（変形例４）
上記実施形態においては、携帯端末３が、認証ＩＦ部１４に接触する（載置される）及び極近傍にかざされる操作（認証操作）が行われたことを受けて認証処理を行ったが、パスワードを用いた認証操作（パスワード認証操作）や生体認証（指紋認証・静脈認証）（生体認証操作）等のその他の認証操作を受けて認証処理を行っても良い。
【０１３０】
この場合、携帯端末３のジョブ登録部３１は、ＭＦＰ２にジョブを登録するとき、ジョブ設定と関連付けてユーザーを識別するための情報（ユーザー識別情報）をＭＦＰ２に送信し、ＭＦＰ２はジョブ設定とユーザー識別情報とを関連付けてジョブ記憶部４８にジョブを記憶する。後に、ユーザーが、パスワード又は生体情報を入力することで認証処理を行うと、パスワード又は生体情報に対応するユーザー（ユーザー識別情報）に関連付けて記憶されたジョブが認証される。
【０１３１】
なお、パスワード認証操作を受けるときには、例えば、図１０（ａ）に示す画面でステータスを表示するときに、その画面にパスワードを含めておき、そのパスワードをユーザーが入力したときに対応するジョブが認証される様にしても良い。そのときのパスワードは、携帯端末３又はユーザーと予め対応付けられたパスワードであっても良いし、ジョブが登録される度に、ＭＦＰ２が異なるパスワードを生成しても良い。
【０１３２】
パスワードの入力は、ＭＦＰ２の操作表示部１５を介して行っても良いし、携帯端末３の操作表示部２３を介して行っても良い。
【０１３３】
（その他の変形例）
本実施形態における携帯端末３の操作表示部２３に表示される図、ＭＦＰ２の操作表示部１５に表示される図は、この形態、文言に限定されない。本発明の要旨を逸脱しない範囲で、適宜変更可能である。
【０１３４】
なお、本実施形態と本実施形態に係る変形例を個別に説明したが、実施形態及び変形例のうち、組み合わせ可能な実施形態及び変形例を組み合わせて実施することができる。
【符号の説明】
【０１３５】
１      ジョブ実行システム
２      ＭＦＰ（画像処理装置）
３      携帯端末
４      原稿読取部（読取部）
５      原稿検知部
６      画像処理部
７      画像形成部
８      制御部
９      記憶部
１０    データＩＦ部
１１    ＬＡＮＩＦ部
１２    記憶メディアＩＦ部
１３    ＦＡＸＩＦ部
１４    認証ＩＦ部（認証部）
１５    操作表示部
１６    ディスプレイ
１７    タッチパネル
１８    操作キー
１９    制御部
２０    記憶部
２１    ＬＡＮＩＦ部
２２    認証ＩＦ部
２３    操作表示部
２４    ディスプレイ
２５    タッチパネル
２７    端末識別情報記憶部
２８    ＭＦＰ検索部
２９    機能選択受付部
３０    設定受付部（ジョブ設定受付部）
３１    ジョブ登録部
３２    ステータス表示部
３４    警告部
３５    実行指示受付部
３６    指示送信部
３７    ジョブ受信部
３８    ステータス送信部
３９    ジョブ制御部（ジョブの実行を制限する制御部）
４０    ジョブ判別部
４１    実行制限部
４２    実行部
４４    操作順判別部
４５    警告部
４６    実行指示受付部
４８    ジョブ記憶部
４９    データ記憶部
１００  ネットワーク
【図１】
2015177214.tif 000003
【図２】
2015177214.tif 000004
【図３】
2015177214.tif 000005
【図４】
2015177214.tif 000006
【図５】
2015177214.tif 000007
【図６】
2015177214.tif 000008
【図７】
2015177214.tif 000009
【図８】
2015177214.tif 000010
【図９】
2015177214.tif 000011
【図１０】
2015177214.tif 000012
【図１１】
2015177214.tif 000013
【図１２】
2015177214.tif 000014
【図１３】
2015177214.tif 000015
【図１４】
2015177214.tif 000016
【図１５】
2015177214.tif 000017
【図１６】
2015177214.tif 000018